(57)【要約】【課題】  転写後における像保持部材の表面に残留するトナーを、クリーニングブレードを用いたクリーニング装置により除去するにあたり、各環境条件などに応じて適切なクリーニングが行えると共に、クリーニングブレードを像保持部材から離隔させる際に、トナーが外部にこぼれるのを防止する。【解決手段】  トナー像を転写させた後に残留するトナーtを保持して移動する像保持部材Xの表面に、像保持部材の移動方向と対向するように配置されたクリーニングブレード21の端部を接触させて、像保持部材の表面に残留するトナーを除去するクリーニング装置20において、クリーニングブレードの像保持部材と接触する面と反対側にトナー保持部材22を設け、トナー保持部材を移動手段23によりクリーニングブレードに対して近接，離隔させるようにした。【選択図】  図５
2007334083.tif 000002
【特許請求の範囲】
【請求項１】
トナー像を転写させた後に残留するトナーを保持して移動する像保持部材の表面に、この像保持部材の移動方向と対向するようにして配置されたクリーニングブレードの端部を接触させて、像保持部材の表面に残留するトナーを除去するクリーニング装置において、上記のクリーニングブレードの像保持部材と接触する面と反対側に、除去されたトナーを保持するトナー保持部材を設けると共に、このトナー保持部材をクリーニングブレードに対して近接，離隔させる移動手段を設けたことを特徴とするクリーニング装置。
【請求項２】
請求項１に記載したクリーニング装置において、上記の像保持部材が残留するトナーを保持して上方から下方に向けて移動する位置において、上記のクリーニングブレードの端部を接触させることを特徴とするクリーニング装置。
【請求項３】
請求項１又は請求項２に記載したクリーニング装置において、上記のトナー保持部材に弾性部材又はシート材を用いたことを特徴とするクリーニング装置。
【請求項４】
請求項１〜請求項３の何れか１項に記載したクリーニング装置において、上記のクリーニングブレードとトナー保持部材とが対向する少なくとも一方の面に、トナーが付着しにくい滑り材を設けたことを特徴とするクリーニング装置。
【請求項５】
像保持部材の表面に残留するトナーを除去するクリーニング装置が設けられた画像形成装置において、請求項１〜請求項４の何れか１項に記載したクリーニング装置を用いたことを特徴とする画像形成装置。
【請求項６】
請求項５に記載した画像形成装置において、上記のクリーニングブレードが像保持部材に対して離隔可能に設けられ、クリーニングブレードが像保持部材から離隔される前に、上記の移動手段によりトナー保持部材をクリーニングブレードから離隔させることを特徴とする画像形成装置。
【請求項７】
請求項５又は請求項６に記載した画像形成装置において、上記の移動手段によりトナー保持部材をクリーニングブレードから離隔させる前又は離隔させる途中において、上記の像保持部材をクリーニング時とは逆方向に移動させることを特徴とする画像形成装置。
【発明の詳細な説明】
【技術分野】
【０００１】
本発明は、複写機やプリンタ等の画像形成装置及びこのような画像形成装置において、トナー像を保持して移動する像保持部材からトナー像を転写させた後に、この像保持部材の表面に残留するトナーを除去するクリーニング装置に係り、特に、像保持部材の表面にクリーニングブレードの端部を接触させて、像保持部材の表面に残留するトナーを除去するにあたり、環境条件などが変化した場合においても、残留するトナーを安定して適切に除去できるようにすると共に、上記のクリーニングブレードを像保持部材から離隔させる場合に、クリーニングブレードの端部に蓄積されたトナーが外部にこぼれだすのを抑制するようにした点に特徴を有するものである。
【背景技術】
【０００２】
複写機やプリンタ等の画像形成装置においては、従来から様々な場所にトナーを除去するためのクリーニング装置が設けられている。例えば、感光体ドラムに形成されたトナー像を中間転写ベルトや記録媒体に転写させた後、この感光体ドラムに残留するトナーを除去させる場合や、中間転写ベルトに転写されたトナー像を記録媒体に転写させた後、この中間転写ベルトに残留するトナーを除去させる場合などにクリーニング装置が用いられている。
【０００３】
そして、上記のように感光体ドラムや中間転写ベルトなどの像保持部材の表面からトナー像を転写させた後、この像保持部材の表面に残留するトナーをクリーニング装置によって除去するにあたっては、例えば、図１に示すように、転写後に残留するトナーｔを保持して上方から下方に向けて移動する像保持部材Ｘの表面に、上方に向けて配置されたクリーニングブレード２１の端部を接触させて、この像保持部材Ｘの表面に残留するトナーｔを除去するようにしたものが利用されている。
【０００４】
ここで、上記のように像保持部材Ｘの表面にクリーニングブレード２１の端部を接触させて、像保持部材Ｘの表面に保持されたトナーｔを除去するにあたり、このクリーニングブレード２１と像保持部材Ｘとの間の摩擦抵抗が強くなると、クリーニング時にクリーニングブレード２１が大きく振動してクリーニング不良が生じたり、クリーニングブレード２１が移動する像保持部材Ｘに引っ張られて反転したり、クリーニングブレード２１の摩耗が大きくなるなどの問題があった。
【０００５】
このため、従来においては、上記のように残留するトナーを保持して上方から下方に向けて移動する像保持部材の表面に、上方に向けて配置されたクリーニングブレードの端部を接触させて像保持部材の表面に保持されたトナーを除去するにあたり、像保持部材と接触する面と反対側におけるクリーニングブレードの面に、先端がクリーニングブレードの端部よりも上方に突出するようにしてフィルム状のトナー捕集部材を設け、このトナー捕集部材によりクリーニングブレードの端部に蓄積されるトナーの量を多くして、クリーニングブレードと像保持部材との間の摩擦抵抗を低減させるようにしたものが提案されている（例えば、特許文献１参照。）。
【０００６】
ここで、このようにクリーニングブレードの端部に蓄積させるトナーの量を多くした場合、クリーニングブレードと像保持部材との間の摩擦抵抗が低減され、クリーニングブレードと像保持部材との摩擦力が高くなる高温環境下においては、クリーニングブレードが振動してクリーニング不良が生じたり、クリーニングブレードが像保持部材に引っ張られて反転したりするのが防止されると共に、クリーニングブレードの端部が摩耗するのも抑制されるようになる。
【０００７】
しかし、クリーニングブレードと像保持部材との摩擦力が低くなる低温環境下においては、クリーニングブレードのクリーニング性能が低下するため、上記のようにクリーニングブレードの端部に蓄積されるトナーの量が多くなると、クリーニングブレードの端部と像保持部材との間をすり抜けるトナーの量が多くなって、クリーニング不良が発生するという問題があった。
【０００８】
また、上記のようなクリーニング装置を用いた画像形成装置においては、上記の像保持部材に形成されたトナー像がクリーニング装置によって除去されるのを防止するために、必要に応じて、上記のクリーニングブレードを像保持部材から離隔させることが行われる。
【０００９】
しかし、このようにクリーニングブレードを像保持部材から離隔させる場合において、上記のようにクリーニングブレードの端部に蓄積されるトナーの量が多くなると、クリーニングブレードを像保持部材から離隔させる際に、クリーニングブレードの端部に蓄積されたトナーが外部にこぼれだして、装置内が汚れるという問題があった。
【特許文献１】特開平９−１６０４６号公報
【発明の開示】
【発明が解決しようとする課題】
【００１０】
本発明は、複写機やプリンタ等の画像形成装置において、トナー像を保持して移動する感光体ドラムや中間転写ベルトなどの像保持部材からトナー像を転写させた後、この像保持部材の表面に残留するトナーをクリーニング装置によって除去する場合、特に、トナー像を転写させた後に残留するトナーを保持して移動する像保持部材の表面に、この像保持部材の移動方向と対向するようにして配置されたクリーニングブレードの端部を接触させて、像保持部材の表面に残留するトナーを除去するクリーニング装置を用いた場合における上記のような問題を解決することを課題とするものである。
【００１１】
すなわち、本発明においては、上記のようなクリーニング装置を用いて像保持部材の表面に残留するトナーを除去するにあたり、環境条件などが変化した場合においても、像保持部材の表面に残留するトナーを安定して適切に除去できるようにすると共に、上記のクリーニングブレードを像保持部材から離隔させる際に、クリーニングブレードの端部に蓄積されたトナーが外部にこぼれだして、装置内が汚れるのを防止することを課題とするものである。
【課題を解決するための手段】
【００１２】
本発明におけるクリーニング装置においては、上記のような課題を解決するため、トナー像を転写させた後に残留するトナーを保持して移動する像保持部材の表面に、この像保持部材の移動方向と対向するようにして配置されたクリーニングブレードの端部を接触させて、像保持部材の表面に残留するトナーを除去するクリーニング装置において、上記のクリーニングブレードの像保持部材と接触する面と反対側に、除去されたトナーを保持するトナー保持部材を設けると共に、このトナー保持部材をクリーニングブレードに対して近接，離隔させる移動手段を設けた。
【００１３】
ここで、上記のクリーニング装置において、像保持部材の表面に残留するトナーを除去した場合に、除去されたトナーがクリーニングブレードの端部に適切に蓄積されるようにするためには、像保持部材が残留するトナーを保持して上方から下方に向けて移動する位置において、クリーニングブレードの端部を接触させるようにする。
【００１４】
また、上記のクリーニング装置において、上記の移動手段によりトナー保持部材をクリーニングブレードから離隔させた後、このトナー保持部材をクリーニングブレードに近接させた際に、トナーがこのトナー保持部材とクリーニングブレードとの間に入り込むのを防止するため、クリーニングブレードとトナー保持部材とが対向する少なくとも一方の面に、トナーが付着しにくい滑り材を設けることが好ましい。
【００１５】
また、この発明における画像形成装置においては、像保持部材の表面に残留するトナーを除去するにあたり、上記のクリーニング装置を用いるようにした。
【００１６】
そして、この発明における画像形成装置において、上記のクリーニングブレードを像保持部材に対して離隔可能に設け、このクリーニングブレードを像保持部材から離隔させる場合には、クリーニングブレードを像保持部材から離隔させる前に、上記の移動手段によりトナー保持部材をクリーニングブレードから離隔させて、クリーニングブレードの端部に蓄積されたトナーの量を減少させるようにする。
【００１７】
また、この発明における画像形成装置において、上記の移動手段によりトナー保持部材をクリーニングブレードから離隔させる場合、トナー保持部材をクリーニングブレードから離隔させる前又は離隔させる途中において、上記の像保持部材をクリーニング時とは逆方向に移動させることが好ましい。
【発明の効果】
【００１８】
本発明におけるクリーニング装置においては、転写後に残留するトナーを保持して移動する像保持部材の表面に、この像保持部材の移動方向と対向するようにして配置されたクリーニングブレードの端部を接触させて、像保持部材の表面に残留するトナーを除去するにあたり、上記のクリーニングブレードの像保持部材と接触する面と反対側に、除去されたトナーを保持するトナー保持部材を設け、このトナー保持部材を移動手段によりクリーニングブレードに対して近接，離隔させるようにしたため、このトナー保持部材をクリーニングブレードに近接させた状態では、このトナー保持部材によってクリーニングブレードの端部に蓄積されるトナーの量が増加する一方、このトナー保持部材をクリーニングブレードから離隔させた状態では、クリーニングブレードの端部に蓄積されるトナーが、クリーニングブレードとトナー保持部材との間の隙間を通して排出され、クリーニングブレードの端部に蓄積されるトナーの量が減少する。
【００１９】
そして、上記のようなクリーニング装置を画像形成装置に使用するにあたり、クリーニングブレードと像保持部材との摩擦力が高くなる高温環境下などにおいては、上記のトナー保持部材をクリーニングブレードに近接させ、クリーニングブレードの端部に蓄積されるトナーの量を多くする。このようにすると、クリーニングブレードと像保持部材との間の摩擦抵抗が低減され、クリーニングブレードの振動によるクリーニング不良の発生が抑制されると共に、クリーニングブレードが像保持部材に引っ張られて反転するのも防止され、さらにクリーニングブレードの端部の摩耗も抑制されるようになる。
【００２０】
一方、クリーニングブレードと像保持部材との摩擦力が低くなる低温環境下や、クリーニングブレードを像保持部材から離隔させる場合において、上記のトナー保持部材をクリーニングブレードから離隔させて、クリーニングブレードの端部に蓄積されるトナーの量を少なくする。このようにすると、蓄積されたトナーがクリーニングブレードの端部と像保持部材との間をすり抜けてクリーニング不良が発生するのが抑制され、またこのクリーニングブレードを像保持部材から離隔させる際に、クリーニングブレードの端部に蓄積されたトナーが外部にこぼれだして、装置内が汚れたりするのも防止される。
【００２１】
また、この発明における画像形成装置において、上記のようにトナー保持部材をクリーニングブレードから離隔させるにあたり、トナー保持部材をクリーニングブレードから離隔させる前又は離隔させる途中において、上記の像保持部材をクリーニング時とは逆方向に移動させると、クリーニングブレードの端部に蓄積されているトナーがより排出されやすくなる。
【発明を実施するための最良の形態】
【００２２】
次に、本発明の実施形態に係る画像形成装置及びクリーニング装置を添付図面に基づいて具体的に説明する。なお、本発明に係る画像形成装置及びクリーニング装置は、下記の実施形態に示したものに限定されず、その要旨を変更しない範囲において適宜変更して実施できるものである。
【００２３】
この実施形態における画像形成装置においては、図２に示すように、回転する感光体ドラム１の表面を帯電装置２によって帯電させた後、帯電された感光体ドラム１に対して露光装置３により画像信号に従った露光を行い、この像担持体１の表面に静電潜像を形成するようにしている。
【００２４】
そして、色彩の異なるトナーを収容させた複数の現像装置４Ａ〜４Ｄを保持させた回転式現像装置４を回転させて、各現像装置４Ａ〜４Ｄを順々に上記の静電潜像が形成された感光体ドラム１と対向する位置に導き、各現像装置４Ａ〜４Ｄから各色のトナーを感光体ドラム１に順々に供給して、順々に各色のトナー像を形成し、このように感光体ドラム１に形成された各色のトナー像を順々に中間転写ベルト５に転写させて、この中間転写ベルト５の上にフルカラーのトナー像を形成するようにしている。
【００２５】
その後、この中間転写ベルト５からフルカラーのトナー像を、記録紙等の記録シート６に転写ローラ７により転写させ、このように転写されたフルカラーのトナー像を定着装置８によって記録シート６に定着させるようにしている。
【００２６】
そして、上記のような画像形成装置において、クリーニング装置２０を設けるにあたっては、図２に示すように、上記の感光体ドラム１に形成されたトナー像を中間転写ベルト５に転写させた後の位置にクリーニング装置２０を設け、この感光体ドラム１に残留するトナーを除去させるようにし、また上記の中間転写ベルト５に形成されたフルカラーのトナー像を記録シート６に転写させた後の位置にクリーニング装置２０を設け、この中間転写ベルト５に残留するトナーを除去させるようにしている。
【００２７】
ここで、上記の画像形成装置において使用する感光体ドラム１や、中間転写ベルト５等の種類は特に限定されず、一般に使用されているものを用いることができ、また使用するトナーの種類も特に限定されず、一般に使用されているものを用いることができる。
【００２８】
また、本発明における画像形成装置の種類も上記のようなものに限定されず、現像装置を1つ設けただけのモノクロ式の画像形成装置であっても、また現像装置と感光体ドラムとが対応して複数設けられたタンデム式のフルカラーの画像形成装置であってもよい。
【００２９】
ここで、上記の感光体ドラム１や中間転写ベルト５からなる像保持部材Ｘの表面に残留するトナーｔを除去するにあたり、本発明の実施形態におけるクリーニング装置２０においては、図３及び図４に示すように、像保持部材Ｘが上から下に向けて回転する位置において、板状のクリーニングブレード２１を像保持部材Ｘの移動方向と対向するように上方に向けて配置させ、このクリーニングブレード２１の端部を上記の像保持部材Ｘの表面に接触させると共に、このクリーニングブレード２１が像保持部材Ｘと接触する面の反対側に、弾性部材からなるトナー保持部材２２を設け、このトナー保持部材２２を移動手段２３により、上記のクリーニングブレード２１に対して近接，離隔させるようにしている。なお、トナー保持部材２２をクリーニングブレード２１に対して近接，離隔させる移動手段２３としては、往復運動するシリンダや、カムなどの様々な公知の装置や機構を用いることができる。
【００３０】
ここで、この実施形態におけるクリーニング装置２０において、図３に示すように、上記の移動手段２３によりトナー保持部材２２をクリーニングブレード２１に近接させると、像保持部材Ｘの表面から除去されたトナーｔが上記のトナー保持部材２２からクリーニングブレード２１の端部に至るようにして保持され、クリーニングブレード２１の端部に蓄積されるトナーｔの量が多くなる。
【００３１】
そして、このようにクリーニングブレード２１の端部に蓄積されるトナーｔの量を多くすると、クリーニングブレード２１と像保持部材Ｘとの摩擦力が高くなる高温環境下において、クリーニングブレード２１と像保持部材Ｘとの間の摩擦抵抗が低減され、クリーニングブレード２１が振動してクリーニング不良が生じたり、クリーニングブレード２１が像保持部材Ｘに引っ張られて反転したり、クリーニングブレード２１の端部が大きく摩耗したりするのが防止される。
【００３２】
一方、図４に示すように、上記の移動手段２３によりトナー保持部材２２をクリーニングブレード２１から離隔させると、像保持部材Ｘの表面から除去されたトナーｔがトナー保持部材２２とクリーニングブレード２１との間の隙間を通して排出され、トナーｔがクリーニングブレード２１の端部にだけ保持されるようになり、クリーニングブレード２１の端部に蓄積されるトナーｔの量が少なくなる。
【００３３】
そして、このようにクリーニングブレード２１の端部に蓄積されるトナーｔの量を少なくすると、クリーニングブレード２１と像保持部材Ｘとの摩擦力が低くなる低温環境下において、クリーニングブレード２１の端部と像保持部材Ｘとの間をすり抜けるトナーｔが少なくなり、クリーニング不良が発生するのが防止される。
【００３４】
また、前記の画像形成装置のように、感光体ドラム１から１つの色彩のトナー像を中間転写ベルト５に転写させた後、感光体ドラム１から次の色彩のトナー像を中間転写ベルト５に転写させ、順々に感光体ドラム１から色彩の異なるトナー像を中間転写ベルト５に転写させて、中間転写ベルト５の上にフルカラーのトナー像を形成する場合、先に中間転写ベルト５に転写されたトナー像がクリーニング装置２０によって中間転写ベルト５から除去されないようにするため、クリーニング装置２０或いはクリーニング装置２０におけるクリーニングブレード２１を中間転写ベルト５から離隔させることが必要になる。
【００３５】
ここで、上記の実施形態におけるクリーニング装置２０において、前記の図３に示すように、上記のトナー保持部材２２がクリーニングブレード２１に近接されて、端部に多くのトナーｔが蓄積された状態にあるクリーニングブレード２１を像保持部材Ｘから離隔させる場合には、図５（Ａ）に示すように、先ず上記の移動手段２３によりトナー保持部材２２をクリーニングブレード２１から離隔させ、トナー保持部材２２からクリーニングブレード２１の端部に至るようにして保持されたトナーｔを、クリーニングブレード２１とトナー保持部材２２との間の隙間を通してクリーニング装置２０内に排出させ、クリーニングブレード２１の端部に蓄積されているトナーｔの量を減少させる。そして、このようにクリーニングブレード２１の端部に蓄積されたトナーｔを減少させた状態で、図５（Ｂ）に示すように、クリーニングブレード２１を移動手段（図示せず）によって像保持部材Ｘから離隔させるようにする。
【００３６】
このようにすると、クリーニングブレード２１の端部に蓄積されたトナーｔが少なくなっているため、このクリーニングブレード２１を像保持部材Ｘから離隔させた際に、クリーニングブレード２１の端部に蓄積されたトナーｔが外部にこぼれだすのが抑制され、装置内がトナーｔで汚れたりするのが防止される。
【００３７】
また、上記のように端部に多くのトナーｔが蓄積された状態にあるクリーニングブレード２１を像保持部材Ｘから離隔させるにあたり、図６に示すように、トナー保持部材２２をクリーニングブレード２１から離隔させる前又は離隔させる途中において、上記の像保持部材Ｘをクリーニング時とは逆方向に移動させると、クリーニングブレード２１の端部に蓄積されているトナーｔが、像保持部材Ｘから離れやすくなると共にトナー保持部材２２側に押され、上記のようにトナー保持部材２２をクリーニングブレード２１から離隔させた場合に、より多くのトナーｔがクリーニングブレード２１とトナー保持部材２２との間の隙間を通してクリーニング装置２０内に排出されるようになり、像保持部材Ｘやクリーニングブレード２１の端部に残るトナーｔの量が減少する。
【００３８】
ここで、上記のように像保持部材Ｘをクリーニング時とは逆方向に移動させるにあたっては、逆方向に移動させる際の速度や加速度、また逆方向に移動させる距離や時間や回数などを、温度条件やクリーニングブレード２１の端部に蓄積されているトナーｔの量などに応じて適宜変更させるようにする。例えば、クリーニングブレード２１の端部に蓄積されているトナーｔの量が多い場合には、像保持部材Ｘやクリーニングブレード２１の端部に残るトナーｔの量を減少させるように、逆方向に移動させる際の速度や加速度を速めたり、逆方向に移動させる距離や時間や回数を多くするようにする。また、温度が高い条件の下では、再度このクリーニングブレード２１の端部を像保持部材Ｘの表面に接触させて、像保持部材Ｘの表面からトナーｔを除去する場合に、クリーニングブレード２１の端部におけるトナーｔの量を多くして、クリーニングブレード２１と像保持部材Ｘとの間の摩擦抵抗を低減させるために、像保持部材Ｘを逆方向に移動させないようにしたり、逆方向に移動させる際の速度や加速度を遅くしたり、逆方向に移動させる距離や時間や回数を少なくする。
【００３９】
そして、上記のようにしてクリーニングブレード２１を像保持部材Ｘから離隔させた後、再度、このクリーニングブレード２１の端部を像保持部材Ｘの表面に接触させて、像保持部材Ｘの表面からトナーｔを除去するにあたっては、図７に示すように、先ず上記のクリーニングブレード２１を像保持部材Ｘ側に移動させて、このクリーニングブレード２１の端部を像保持部材Ｘの表面に接触させるようにする。その後は、必要に応じて、上記の移動手段２３によりトナー保持部材２２をクリーニングブレード２１に近接させるようにし、例えば、クリーニングブレード２１と像保持部材Ｘとの摩擦力が高くなる高温環境下で使用する場合には、前記のようにトナー保持部材２２をクリーニングブレード２１に近接させて、除去したトナーｔをクリーニングブレード２１の端部に多く蓄積させるようにする。
【００４０】
ここで、前記のようにトナー保持部材２２をクリーニングブレード２１から離隔させて、クリーニングブレード２１の端部に蓄積されたトナーｔを排出させた後、このクリーニングブレード２１を像保持部材Ｘの表面に接触させた状態では、このクリーニングブレード２１の端部に存在するトナーｔが少なくなっている。そして、このクリーニングブレード２１の端部に充分な量のトナーｔを速やかに蓄積させるようにするためには、例えば、像保持部材Ｘに黒ベタのパターン画像を形成し、この黒ベタ画像を転写させることなくクリーニング装置２０に導き、この黒ベタ画像のトナーｔを像保持部材Ｘの表面から除去させて、クリーニングブレード２１の端部に蓄積させるようにすることができる。
【００４１】
また、前記のようにトナー保持部材２２をクリーニングブレード２１から離隔させて、クリーニングブレード２１の端部に蓄積されたトナーｔをクリーニングブレード２１とトナー保持部材２２との間の隙間を通して排出させる際に、トナーｔがトナー保持部材２２とクリーニングブレード２１とが対向する面に付着すると、上記のようにクリーニングブレード２１の端部を像保持部材Ｘの表面に接触させた後、トナー保持部材２２をクリーニングブレード２１に近接させた場合に、トナー保持部材２２とクリーニングブレード２１との間に存在するトナーｔにより、クリーニングブレード２１の像保持部材Ｘに対する接触状態が変化して、適切なクリーニングが行えなくなるおそれがある。このため、例えば図８に示すように、クリーニングブレード２１と対向するトナー保持部材２２の面に、フッ素系樹脂フィルムや高分子ポリエチレンなどの低摩擦性樹脂フィルムで構成された滑り材２４を設けることが好ましい。
【００４２】
なお、この実施形態におけるクリーニング装置２０においては、クリーニングブレード２１を像保持部材Ｘから離隔させるにあたり、像保持部材Ｘに対してクリーニングブレード２１だけを移動させるようにしたが、図９に示すように、クリーニング装置２０を移動させて、クリーニングブレード２１を像保持部材Ｘから離隔させるようにすることも可能である。
【００４３】
また、この実施形態におけるクリーニング装置２０においては、クリーニングブレード２１が像保持部材Ｘと接触する面と反対側に、弾性部材からなるトナー保持部材２２を設けるようにしたが、図１０及び図１１に示すように、クリーニングブレード２１が像保持部材Ｘと接触する面と反対側に、クリーニングブレード２１の端部より上方に突出するようにしてシート材からなるトナー保持部材２２を設け、このシート材からなるトナー保持部材２２を、移動手段２３によりクリーニングブレード２１に対して近接，離隔させることも可能である。
【００４４】
そして、このクリーニング装置２０において、クリーニングブレード２１の端部に多くのトナーを蓄積させる場合には、図１０に示すように、上記のシート材からなるトナー保持部材２２を移動手段２３によりクリーニングブレード２１に近接させ、像保持部材Ｘとクリーニングブレード２１の端部とクリーニングブレード２１の端部より上方に突出したトナー保持部材２２との間に除去されたトナーｔを蓄積させるようにする。
【００４５】
一方、クリーニングブレード２１の端部に蓄積させるトナーｔの量を少なくする場合には、図１１に示すように、上記のトナー保持部材２２を移動手段２３によりクリーニングブレード２１から離隔させ、像保持部材Ｘとクリーニングブレード２１の端部とクリーニングブレード２１の端部より上方に突出したトナー保持部材２２との間に蓄積されたトナーｔを、トナー保持部材２２とクリーニングブレード２１との間の隙間を通してクリーニング装置２０内に排出させるようにする。
【図面の簡単な説明】
【００４６】
【図１】従来のクリーニング装置の例を示した概略側面図である。
【図２】本発明の一実施形態に係る画像形成装置の概略説明図である。
【図３】本発明の一実施形態に係るクリーニング装置において、弾性部材からなるトナー保持部材を用い、像保持部材の表面に残留するトナーを除去してクリーニングブレードの端部に多くのトナーを蓄積させる状態を示した概略説明図である。
【図４】上記の実施形態に係るクリーニング装置において、クリーニングブレードの端部に蓄積させるトナーの量を少なくした状態を示した概略説明図である。
【図５】上記の実施形態に係るクリーニング装置において、クリーニングブレードの端部に蓄積されているトナーの量を減少させた後、クリーニングブレードを像保持部材から離隔させる工程を示した概略説明図である。
【図６】上記の実施形態に係るクリーニング装置において、トナー保持部材をクリーニングブレードの端部から離隔させて、クリーニングブレードの端部に蓄積されたトナーの量を減少させるにあたり、像保持部材をクリーニング時とは逆方向に移動させる状態を示した概略説明図である。
【図７】上記の実施形態に係るクリーニング装置において、クリーニングブレードを像保持部材に接触させた後、トナー保持部材をクリーニングブレードに近接するように移動させる状態を示した概略説明図である。
【図８】上記の実施形態に係るクリーニング装置において、クリーニングブレードと対向するトナー保持部材の面に滑り材を設けた状態を示した概略説明図である。
【図９】上記の実施形態に係るクリーニング装置において、クリーニング装置を移動させて、クリーニングブレードを像保持部材から離隔させる変更例の概略説明図である。
【図１０】上記の実施形態に係るクリーニング装置において、シート材からなるトナー保持部材を用いた変更例を示し、像保持部材の表面に残留するトナーを除去してクリーニングブレードの端部に多くのトナーを蓄積させる状態を示した概略説明図である。
【図１１】上記のシート材からなるトナー保持部材を用いた変更例において、トナー保持部材をクリーニングブレードの端部から離隔させて、クリーニングブレードの端部に蓄積させるトナーの量を少なくした状態を示した概略説明図である。
【符号の説明】
【００４７】
１  感光体ドラム（像保持部材）
２  帯電装置
３  露光装置
４  回転式現像装置
４Ａ〜４Ｄ  現像装置
５  中間転写ベルト（像保持部材）
６  記録シート
７  転写ローラ
８  定着装置
２０  クリーニング装置
２１  クリーニングブレード
２２  トナー保持部材
２３  移動手段
２４  滑り材
Ｘ  像保持部材
ｔ  トナー
【図１】
2007334083.tif 000003
【図２】
2007334083.tif 000004
【図３】
2007334083.tif 000005
【図４】
2007334083.tif 000006
【図５】
2007334083.tif 000007
【図６】
2007334083.tif 000008
【図７】
2007334083.tif 000009
【図８】
2007334083.tif 000010
【図９】
2007334083.tif 000011
【図１０】
2007334083.tif 000012
【図１１】
2007334083.tif 000013